(57)【要約】  【課題】  窓１４を開けている状態であっても、面格子の外側からは容易に開放することのできない開放型面格子を提供すること。  【解決手段】  上下少なくとも二本の横格子１１、１２と横格子の長手方向に配列された複数本の縦格子２１、２２とから成り、可動縦格子２２が上側横格子１１に係合する上部係合部材と、下側横格子１２に移動可能に設けられたスライダ５に係合する下部係合部材とを備えており、操作手段６を操作してスライダ５を移動させることにより可動縦格子２２の係合を外し得る開放型面格子１０であって、操作手段６の操作を規制するロック手段７と、このロック手段７による規制を解除する解除手段８を設け、操作手段６の操作ロッドの先端で解除手段８を操作することによりロック手段７による規制を解除するようにした。  【選択図】  図１
2006249663.tif 000002
【特許請求の範囲】
【請求項１】
上下少なくとも二本の横格子と該横格子の長手方向に配列された複数本の縦格子とから成り、
該縦格子のうちの一部の縦格子がそれぞれ、上側横格子に係合する上部係合部材と、下側横格子に移動可能に設けられたスライダに係合する下部係合部材とを備え、
前記下側横格子に設けられた操作手段を操作して前記スライダを移動させることにより前記下部係合部材の前記スライダに対する係合を外し得る開放型面格子であって、
前記操作手段の操作を規制するロック手段と、該ロック手段による規制を解除する解除手段と、を設け、
前記操作手段が、前記下側横格子に起倒可能に設けられた操作ロッドを備え、該操作ロッドの先端で前記解除手段を操作して前記ロック手段による前記操作手段の規制を解除することを特徴とした開放型面格子。
【請求項２】
前記操作手段が、
前記下側横格子に固定された軸受部材と、
該軸受部材に軸受けされ、一端に前記スライダに連結されたクランクアームを備え、他端に中空の操作ロッドが起倒可能に連結された軸部材と、から成り、
前記ロック手段が、前記軸受部材に形成された軸受側キー溝と前記軸部材に形成された軸側キー溝との間に挿入されたキー部材から成り、
前記解除手段が、前記中空の操作ロッド内に引き通され、一端が前記キー部材に固定された紐状部材から成り、
前記紐状部材の他端を引っ張って前記キー部材を前記キー溝から引き抜くことによって前記ロック手段による前記操作手段の規制を解除することを特徴とした請求項１記載の開放型面格子。
【請求項３】
前記操作ロッドの先端にハンドルを起倒可能に設け、該ハンドルに前記紐状部材の他端を固定し、該ハンドルを前記操作ロッドに対し起すことによって前記紐状部材の他端を引っ張って前記ロック手段による前記操作手段の規制を解除することを特徴とした請求項２記載の開放型面格子。
【請求項４】
前記操作ロッドが、伸縮自在に連結された複数のロッド部品から成ることを特徴とした請求項１乃至請求項３のいずれかに記載の開放型面格子。
【発明の詳細な説明】
【技術分野】
【０００１】
本発明は、住居等の建築物の窓の外側に防犯のために設置される面格子に関し、より詳しくは、火災等の非常時に面格子の一部を開放して室外への脱出を可能とした開放型面格子に関するものである。
【背景技術】
【０００２】
従来、火災等の非常時に面格子の一部を開放できるようにした開放型面格子がいくつか提案されている（例えば、特許文献１参照）。しかしながら、従来の開放型面格子は、窓を開けている状態においては、侵入者が外側から開放操作部を操作して面格子を容易に開放できてしまう難点があった。
【特許文献１】特開２００１−１５２７６０号公報
【発明の開示】
【発明が解決しようとする課題】
【０００３】
本発明は、従来の開放型面格子に上記のような問題があったことに鑑みて為されたもので、窓を開けている状態であっても、外側からは容易に開放することのできない開放型面格子を提供することを技術的課題とする。
【課題を解決するための手段】
【０００４】
本発明は、上下少なくとも二本の横格子と該横格子の長手方向に配列された複数本の縦格子とから成り、該縦格子のうちの一部の縦格子がそれぞれ、上側横格子に係合する上部係合部材と、下側横格子に移動可能に設けられたスライダに係合する下部係合部材とを備え、前記下側横格子に設けられた操作手段を操作して前記スライダを移動させることにより前記下部係合部材の前記スライダに対する係合を外し得る開放型面格子であって、
前記操作手段の操作を規制するロック手段と、該ロック手段による規制を解除する解除手段と、を設け、前記操作手段が、前記下側横格子に起倒可能に設けられた操作ロッドを備え、該操作ロッドの先端で前記解除手段を操作して前記ロック手段による前記操作手段の規制を解除することを特徴とする。
【０００５】
また、本発明は、前記操作手段が、
前記下側横格子に固定された軸受部材と、該軸受部材に軸受けされ、一端に前記スライダに連結されたクランクアームを備え、他端に中空の操作ロッドが起倒可能に連結された軸部材と、から成り、
前記ロック手段が、前記軸受部材に形成された軸受側キー溝と前記軸部材に形成された軸側キー溝との間に挿入されたキー部材から成り、
前記解除手段が、前記中空の操作ロッド内に引き通され、一端が前記キー部材に固定された紐状部材から成り、
前記紐状部材の他端を引っ張って前記キー部材を前記キー溝から引き抜くことによって前記ロック手段による前記操作手段の規制を解除することを特徴とする。
【０００６】
更にまた、本発明は、前記操作ロッドの先端にハンドルを起倒可能に設け、該ハンドルに前記紐状部材の他端を固定し、該ハンドルを前記操作ロッドに対し起すことによって前記紐状部材の他端を引っ張って前記ロック手段による前記操作手段の規制を解除することを特徴とする。
【０００７】
更にまた、本発明は、前記操作ロッドが、伸縮自在に連結された複数のロッド部品から成ることを特徴とする。
【発明の効果】
【０００８】
本発明に係る開放型面格子によれば、操作手段の操作ロッドを室内側へ引き起こし、かつ、引き起こした操作ロッドの先端で解除手段を操作してロック手段による規制を解除しなければ、可動縦格子の係合を外して面格子を開放することができない。したがって、たとえ窓が開口していて侵入者等が開放型面格子の外側から手を入れて操作ロッドを室内側へ起こすことができたとしても、室内側へ突出した操作ロッドの先端の解除手段を操作することができない。したがって、窓を開けている状態であっても、侵入者等が外側から操作して面格子を開放することができず、防犯性に優れている。
【発明を実施するための最良の形態】
【０００９】
本実施形態の開放型面格子１０は、図１（ａ）に示すように、上下２本の横格子（上側横格子１１と下側横格子１２）と、これら横格子１１、１２の長手方向に一定間隔で配列された計１４本の縦格子２１、２２とから構成されている。この開放型面格子１０は、図１（ｂ）に示すように、横格子１１、１２の両端にそれぞれ設けられた取付金具１３を介して住居等の建築物の窓１４の周辺の外壁部に固定されて窓１４の外側に設置される。窓１４には、一対の引違式のガラス引戸から成る障子１５が設けられている。
【００１０】
開放型面格子１０の計１４本の縦格子のうち、８本の縦格子は、可動縦格子２２として横格子１１、１２に対し着脱可能に係合されている。残り６本の縦格子は固定縦格子２１として横格子１１、１２にリベット２１１により固定されている。そして、開放型面格子１０の下側横格子１２には、可動縦格子２２を係合支持するスライダ５と、このスライダ５を移動させて可動縦格子２２との係合を外すための操作手段６と、操作手段６の操作を規制するロック手段７と、ロック手段７による規制を解除する解除手段８（図４参照）とが設けられている。
【００１１】
火災等の非常時には、解除手段８を操作してロック手段７を解除した上で、操作手段６を操作して可動縦格子２２とスライダ５との係合を外し、可動縦格子２２を横格子１１、１２の長手方向へ移動させることによって、面格子の一部を開放することができる（図９参照）。以下、各構成について詳しく説明する。
【００１２】
開放型面格子１０の上側横格子１１及び下側横格子１２は、図２に示すように、背面が開放した中空角柱形状を成しており、横格子１１、１２の底部には、長手方向に一定間隔で計８つの係合孔１１１、１２１がそれぞれ形成されている。係合孔１１１、１２１は、可動縦格子２２が係合されるべき位置に形成されている。また、下側横格子１２の内部には、スライダ５が下側横格子１２の長手方向へ移動可能に設けられている。
【００１３】
スライダ５は、図３に示すように、水平部５１と垂直部５２とから構成され、横断面Ｌ字形状を成している。水平部５１には、開口部５１１とこの開口部５１１に連続するスリット５１２とが形成されており、これら開口部５１１及びスリット５１２は、スライダ５の長手方向に沿って一定間隔で計８組形成されている。スライダ５は、後述する操作手段６の操作ロッド６４の回転操作によって係合位置と解除位置との間を往復移動する。スライダ５は、係合位置においてその開口部５１１が下側横格子１２の係合孔１２１と対向し、解除位置において、スリット５１２が係合孔１２１と対向する。また、スライダ５の垂直部５２には、操作手段６のクランクアーム６３が連結される長孔５２１が形成されている。
【００１４】
図２に示すように、可動縦格子２２の背面の上端部近傍には、上側横格子１１に係合する上部係合部材３がリベット固定されている。上部係合部材３は爪部３１を備え、爪部３１と可動縦格子２２の背面との間に上方に開放した凹部３２が形成される。そして、爪部３１の前面には、板バネから成る弾性部材３３がスポット溶接されている。図２（ａ）に示すように、上部係合部材３の爪部３１を上側横格子１１の係合孔１１１へ下方から差し込んで弾性部材３３と可動縦格子２２の背面との間で上側横格子１１の垂直面を挟むことによって、上部係合部材３が上側横格子１１に係合される。
【００１５】
また、可動縦格子２２の背面の下端部近傍には、下側横格子１２内のスライダ５に係合する下部係合部材４がリベット固定されている。下部係合部材４は爪部４１を備え、爪部４１と可動縦格子２２の背面との間に上方に開放した凹部４２が形成される。そして、爪部４１の前面には、板バネから成る弾性部材４３がスポット溶接されている。図２（ａ）に示すように、下部係合部材４の爪部４１を下側横格子１２の係合孔１２１へ下方から差し込んで、スライダ５のスリット５１２の縁部に弾性部材４３の下部を引っ掛けることによって、下部係合部材４がスライダ５に係合支持される。そして、図２（ｂ）に示すように、スライダ５を、その開口部５１１が下側横格子１２の係合孔１２１と対向する解除位置へ移動させれば、下部係合部材４とスライダ５との係合が外されて、可動縦格子２２はスライダ５による支持を失い、下部係合部材４の爪部４１が開口部５１１及び係合孔１２１から下方へ抜け出て、可動縦格子２２は自重によって落下する。
【００１６】
また、可動縦格子２２の背面の上部係合部材３の上方には、フック部材２３がリベット固定されている。図２（ｂ）に示すように、下部係合部材４とスライダ５との係合が外されて可動縦格子２２が落下したとき、フック部材２３が上側横格子１１の上部に引っ掛かる。この状態で、可動縦格子２２を上側横格子１１の長手方向に沿って移動させるのである（図９参照）。
【００１７】
上記スライダ５を移動させる操作手段６は、図３の分解斜視図に示すように、下側横格子１２に固定されるべき軸受部材６１と、軸受部材６１に軸受けされる軸部材６２と、軸部材６２の一端に設けられたクランクアーム６３と、軸部材６２の他端に起倒可能に軸支された操作ロッド６４と、操作ロッド６４の先端に起倒可能に軸支されたハンドル６５とから構成されている。
【００１８】
クランクアーム６３の先端には突起６３１が設けられており、突起６３１がスライダ５の長孔５２１に嵌合されている。操作ロッド６４の基部には駒部材６４１が設けられており、駒部材６４１が軸部材６２に形成された凹部６２１内に挿入され、ピン６２２によって回動可能に軸支されている。このことで、操作ロッド６４は、下側横格子１２の長手方向に略平行に倒されて下側横格子１２内に収納される収納位置と、下側横格子１２の長手方向と略直交するように起されて室内側へ突出する操作位置との間で起倒させることができる。操作ロッド６４を収納位置から操作位置に起した後、操作ロッド６４を回転させれば、軸部材６２及びクランクアーム６３から成るクランク機構を介してスライダ５を往復移動させることができ、上述したように可動縦格子２２のスライダ５に対する係合を外すことができる。
【００１９】
なお、軸受部材６１には、切欠部６１２が形成されており、収納位置にある操作ロッド６４は、駒部材６４１が切欠部６１２に挿入された状態で軸部材６２に軸支されている。したがって、操作ロッド６４を操作位置へ起した後でなければ、操作ロッド６４を回転操作することはできない。また、ハンドル６５は、操作ロッド６４の長手方向に略平行に倒された収納位置と、操作ロッド６４の長手方向と略直交するように起された操作位置との間で起倒させることができる。操作位置に起こしたハンドル６５を把持すれば、操作ロッド６４の回転操作を容易に行なうことができる。
【００２０】
また、操作ロッド６４は、図３及び図４に示すように、２本の中空のロッド部品６４２、６４３により伸縮自在に構成されている。大径のロッド部品６４２内に小径のロッド部品６４３が出し入れ可能に挿入され、小径ロッド部品６４３を大径ロッド部品６４２から引き出すことによって操作ロッド６４を伸長させることができる。図４に示すように、大径ロッド部品６４２の基部には上記駒部材６４１が固定され、先端部には外側筒状キャップ６４４が固定されている。また、小径ロッド部品６４３の基部には内側筒状キャップ６４５が固定され、先端部にはピン６５１によって上記ハンドル６５が回動可能に軸支されている。この小径ロッド部品６４３を最大限に引き出したとき、外側筒状キャップ６４４の内周部に内側筒状キャップ６４５の外周部が当接する。
【００２１】
上記操作手段６の操作を規制するロック手段７は、図５に示すように、操作手段６の軸受部材６１と軸部材６２との間に挿入されるキー部材７１から構成されている。軸受部材６１の内周部には軸受側キー溝６１０が形成され、軸部材６２の外周部には軸側キー溝６２０が形成されており、これらキー溝６１０、６２０間に略角柱形状のキー部材７１が挿入される。図５（ａ）に示すように、キー溝６１０、６２０間にキー部材７１が挿入されている状態では、軸受部材６１に対し軸部材６２を回転させることができない。したがって、操作ロッド６４を収納位置から操作位置に起した状態であっても、操作ロッド６４を回転操作することができない。一方、図５（ｂ）に示すように、キー溝６１０、６２０間からキー部材７１を外した状態では、操作ロッド６４を回転操作して軸部材６２を回転させ、クランクアーム６３を介して図示しないスライダ５を移動させることができる。
【００２２】
上記ロック手段７を解除する解除手段８は、図４に示すように、操作手段６の中空の操作ロッド６４内に引き通されたワイヤーから成る可撓性を有する紐状部材８１により構成されている。紐状部材８１の基端は、駒部材６４１に形成された通孔６４０を通ってかしめ材８２を介してキー部材７１に固定されており、紐状部材８１の先端は、小径ロッド部品６４３に形成された通孔６４６を通ってかしめ材８３を介してハンドル６５に固定されている。紐状部材８１の長さは、操作ロッド６４を最大限に伸ばしたときの操作ロッド６４の長さと略同じにしてある。したがって、図４に示すように、操作ロッド６４を縮めているときには、紐状部材８１は操作ロッド６４内でくねり曲がった状態となり、操作ロッド６４を最大限に伸ばしたときには、紐状部材８１は操作ロッド６４内でほぼ伸張した状態となる。そして、操作ロッド６４を最大限に伸ばした状態で、ハンドル６５を操作ロッド６４に対して起したとき、ハンドル６５によって紐状部材８１の先端が引っ張られ、ロック手段７のキー部材７１がキー溝６１０、６２０間から引き抜かれる。こうして、ロック手段７による操作手段６の操作規制を解除することができる。
【００２３】
なお、紐状部材８１でキー部材７１を引っ張る方向が、キー部材７１のキー溝６１０、６２０間からの引き抜き方向と異なっている状態では、紐状部材８１で引っ張ってもキー部材７１をキー溝６１０、６２０間から容易に引き抜くことができない。したがって、紐状部材８１によるキー部材７１の引き抜き解除操作は、図４に示すように、操作ロッド６４を操作位置に起こした状態で行う。
【００２４】
以下、図６〜図９を参照しながら、本実施形態の開放型面格子１０の開放操作の手順について説明する。
【００２５】
開放型面格子１０を開放する場合、まず、図６に示すように、窓１４の障子１５を開けた状態で、操作手段６の操作ロッド６４を収納位置から操作位置へ起こす。通常時、操作ロッド６４は縮んだ状態で下側横格子１２内に収納されている。縮んだ状態の操作ロッド６４の長さＬ１は、窓１４の窓枠と開口状態の障子１５との開口長さＷよりも小さく形成されている。したがって、窓１４を全開すれば、操作ロッド６４を室内側へ引き起こすことができる。
【００２６】
次に、図７に示すように、ハンドル６５を把持して操作ロッド６４を最大限に伸ばし、ハンドル６５を操作ロッド６４に対して収納位置から操作位置に起こす。このことで、上述したように、ハンドル６５で紐状部材８１の先端側を引っ張ってロック手段７のキー部材７１を操作手段６のキー溝６１０、６２０間から引き抜き、ロック手段７による操作手段６の操作規制を解除する。図７に示すように、操作ロッド６４を最大限に伸ばしたときの長さＬ２は、開口長さＷよりも大きい。したがって、侵入者が開放型面格子１０の外側から手を伸ばしても、操作ロッド６４の先端のハンドル６５を起倒操作することができず、侵入者はロック手段７による操作手段６の規制を解除することはできない。
【００２７】
その後、図８に示すように、操作手段６のハンドル６５を把持して操作ロッド６４を軸回りに回転操作する。このことで、上述したように、操作手段６のクランク機構を介してスライダ５を係合位置から解除位置へ移動させ、可動縦格子２２のスライダ５に対する係合を外す。スライダ５に対する係合が外された可動縦格子２２は自重落下し、フック部材２３が上側横格子１１上に引っ掛かる。そして、図９に示すように、可動縦格子２２を上側横格子１１の長手方向に沿って水平移動させれば、開放型面格子１０の面格子の一部を開放することができる。
【００２８】
このように、本実施形態の開放型面格子１０にあっては、操作手段６の操作ロッド６４を室内側へ引き起こし、かつ、操作ロッド６４の先端に設けられたハンドル６５を起こして解除手段８の紐状部材８１を引っ張ってロック手段７のキー部材７１による規制を解除しなければ、操作ロッド６４を回転操作することができず、可動縦格子２２の係合を外して面格子を開放することができない。したがって、たとえ窓１４が開口していて侵入者等が開放型面格子１０の外側から手を入れて操作ロッド６４を室内側へ起こすことができたとしても、室内側へ突出した操作ロッド６４の先端のハンドル６５を操作してロック手段７を解除することができない。したがって、窓１４を開けている状態であっても、侵入者等が外側から操作して面格子を開放することができず、防犯性に優れている。
【００２９】
また、本実施形態の開放型面格子１０にあっては、解除手段８の紐状部材８１を引っ張ってロック手段７のキー部材７１を操作手段６のキー溝６１０、６２０間から引き抜くことによって、操作ロッド６４の回転操作規制を解除するようにしているので、防犯性に優れた開放型面格子を極めて簡素に構成することができ、安価な開放型面格子を市場に提供することができる。
【００３０】
更に、本実施形態の開放型面格子１０にあっては、操作ロッド６４の回転操作時に把持するハンドル６５に解除手段８の紐状部材８１の先端を固定しているので、ハンドル６５を起こすだけで紐状部材８１を引っ張ってキー部材８１による規制を解除することができる。火災等の非常時には、ロック手段７による操作手段６の操作規制を迅速に解除することができ、非常時に面格子の開放操作に手間取ることがない。
【００３１】
更にまた、本実施形態の開放型面格子１０にあっては、操作手段６の操作ロッド６４を複数のロッド部品により伸縮自在に構成しているので、下側横格子１２内に収納した状態では操作ロッド６４の長さを小さくしながら、室内側へ引き起こしたときには操作ロッド６４を伸長させて先端のハンドル６５を室内側へ大きく突出させることができる。したがって、操作ロッド６４の起倒操作を可能にするために操作ロッド６４を短くせざるを得ない場合でも、操作ロッド６４を伸長させることによって、侵入者等の手の届かない位置までハンドル６５を室内側へ突出させることができる。窓枠と開口状態の障子との開口長さＷが比較的小さい窓にも適用することができる。
【００３２】
以上、本実施形態の開放型面格子１０について説明したが、本発明に係る開放型面格子はその他の形態でも実施することができる。
【００３３】
例えば、上記実施形態では、スライダ５を移動させるための操作手段６をクランク機構により構成しているが、本発明はこれに限定されるものではなく、例えばピニオン−ラック機構等を採択しても良い。操作ロッド６４の軸回りの回転運動をスライダ５の直線運動に変換することができれば良く、その他の伝達機構を採用することができる。この操作手段の操作を規制するロック手段についても種々の設計変更が可能であり、例えば、操作手段６のクランクアーム６３の揺動動作を直接、ストッパで規制しても良く、また、スライダ５の直線移動をストッパで規制するようにしても良い。
【００３４】
また、上記実施形態では、ロック手段７による規制を解除する解除手段８を紐状部材８１で構成し、この紐状部材８１の先端をハンドル６５に固定しているが、必ずしもこれに限定されるものではなく、例えば、紐状部材８１の先端にタブ等を設け、このタブを直接引くことによって、ロック手段７を解除するようにしても良い。
【００３５】
本発明はその趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【図面の簡単な説明】
【００３６】
【図１】本実施形態の開放型面格子の全体構成を説明する全体図であり、同図（ａ）は開放型面格子の背面図、同図（ｂ）は住居等の窓に外部設置した状態の概略平面図である。
【図２】同開放型面格子の可動縦格子と横格子との係合関係を説明する側面図であり、同図（ａ）は可動縦格子が横格子に係合された状態の部分断面側面図、同図（ｂ）は可動縦格子の横格子に対する係合を外した状態の部分断面側面図である。
【図３】同開放型面格子の操作手段の構成を説明する一部省略分解斜視図である。
【図４】同開放型面格子の操作ロッドの構成を説明する一部省略縦断面図である。
【図５】同開放型面格子のロック手段の構成を説明する背面図であり、同図（ａ）はロック手段によって操作手段が規制された状態の一部省略背面図、同図（ｂ）はロック手段による規制が解除された状態の一部省略背面図である。
【図６】同開放型面格子の開放操作の手順を説明する概略平面図である。
【図７】同開放型面格子の開放操作の手順を説明する概略平面図である。
【図８】同開放型面格子の開放操作の手順を説明する背面図である。
【図９】同開放型面格子の開放操作の手順を説明する背面図である。
【符号の説明】
【００３７】
１０  開放型面格子
１１  上側横格子
１２  下側横格子
２２  固定縦格子
２３  可動縦格子
３  上部係合部材
４  下部係合部材
５  スライダ
６  操作手段
６１  軸受部材
６１０  軸受側キー溝
６２  軸部材
６２０  軸側キー溝
６３  クランクアーム
６４  操作ロッド
６４２、６４３  ロッド部品
６５  ハンドル
７  ロック手段
７１  キー部材
８  解除手段
８１  紐状部材
【図１】
2006249663.tif 000003
【図２】
2006249663.tif 000004
【図３】
2006249663.tif 000005
【図４】
2006249663.tif 000006
【図５】
2006249663.tif 000007
【図６】
2006249663.tif 000008
【図７】
2006249663.tif 000009
【図８】
2006249663.tif 000010
【図９】
2006249663.tif 000011